(57)【要約】      （修正有）【課題】紙コップ全体の構造強度が向上され、より安全的に且つ耐用的になり、漏れなく、コップ本体に、安定的に係合できる紙コップ蓋体構造装置を提供する。【解決手段】紙材からなり、コップ体１１と、コップ体の上端に形成されたコップ口１２と、コップ体の底端に形成される杯底１３とがあり、コップ口の外側縁に、リング状に、扁平面を有する扁平状コップ縁１４が形成され、コップ縁に、更に、外側端縁から下へ伸びるリング状の延伸部１４２があるコップ本体１と、コップ本体に覆われ、コップ縁の内壁面において、リング状に、ねじ山型係止槽２２が形成され、ねじ山型係止槽の下に、更に、抵当部２３が伸び、コップ縁とねじ山型係止槽とが、回転することによって結合されるコップ蓋２とが含有される。【選択図】図１
0003198245.tif 000002
【実用新案登録請求の範囲】
【請求項１】
紙材からなり、コップ体と、上記コップ体の上端に形成されたコップ口と、上記コップ体の底端に形成される杯底とがあり、上記コップ口の外側縁に、リング状に、扁平面を有する扁平状コップ縁が形成され、上記コップ縁に、更に、外側端縁から下へ伸びるリング状の延伸部があるコップ本体と、
上記コップ本体に覆われ、上記コップ縁の内壁面において、リング状に、ねじ山型係止槽が形成され、上記ねじ山型係止槽の下に、更に、抵当部が伸び、上記コップ縁と上記ねじ山型係止槽とが、回転することによって結合されるコップ蓋と、が含有される、
ことを特徴とする紙コップ蓋体構造装置。
【請求項２】
上記コップ縁とその延伸部は、上記コップ口の周縁に成型されたビードを押し合わせて整形することによってからなることを特徴とする請求項１に記載の紙コップ蓋体構造装置。
【請求項３】
上記コップ縁は、プラスチックの射出成型や紙材のプレス成型によってからなることを特徴とする請求項１に記載の紙コップ蓋体構造装置。
【請求項４】
上記抵当部は、やや外へ突出するようなアンダーカット状になることを特徴とする請求項１に記載の紙コップ蓋体構造装置。
【請求項５】
上記抵当部は、やや外へ拡大するような拡大傾斜状になることを特徴とする請求項１に記載の紙コップ蓋体構造装置。
【請求項６】
上記抵当部は、内側に、リング状に、上記コップ縁の下方端縁に抵当するリブが設けられることを特徴とする請求項１に記載の紙コップ蓋体構造装置。
【請求項７】
上記抵当部は、内側に、リング状に、隔離的に、上記コップ縁の下方端縁に抵当する複数のリブが配列されることを特徴とする請求項１に記載の紙コップ蓋体構造装置。
【考案の詳細な説明】
【技術分野】
【０００１】
本考案は、コップ蓋が、ねじ山型係止槽で、扁平状コップ縁とその延伸部に、回転や係止されて、安定的に係合できる、紙コップ蓋体構造装置に関し、特に、コップ蓋が、コップ本体に、脱落することなく、一体に固定され、紙コップ全体の構造強度が向上され、より安全的に且つ耐用的になり、漏れなく、コップ本体に、安定的に係合できる効果が得られるものに関する。
【背景技術】
【０００２】
一般の、従来の紙コップは、図７のように、コップ本体３の上端周辺に、コップ蓋４の凹槽４１に対応して嵌合できる突縁３１が形成され、既存の紙コップの突縁３１は、丸辺リール状になり、それは、強度が低い問題があって、コップ蓋４とコップ本体３とが、互いに嵌合する時、そのコップ本体３にある突縁３１が、容易に、扁平や縮小になるように、変形し、そのため、コップ蓋４の凹槽４１とコップ本体３の突縁３１との隙間が大きくなり、突縁３１が、安定的に凹槽４１に嵌合固定されなく、コップ蓋４が、簡単に脱落するや、紙コップコップ本体３の開口に、緊密的に結合できなく、その機能性を失うし、コップ内の液体が、外へ溢れる恐れがあるため、実用的なものとは言えない。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、従来の上記問題を解消するために、コップ本体が、扁平状構造であるコップ縁によって、コップ本体の強度が向上されるだけでなく、コップ本体とコップ蓋との結合が、強化され、コップ蓋のねじ山型係止槽が、コップ本体の扁平状コップ縁の延伸部に抵当し、ねじ山型係止槽を、回転することや係止することにより、扁平状コップ縁とその延伸部に係合固定させ、コップ蓋と扁平状コップ縁とが、安定的に係合でき、コップ蓋が、コップ本体に、脱落することなく、一体的に固定され、紙コップ全体の構造強度が向上され、より安全的に且つ耐用的になり、漏れなく、コップ本体に係合できる効果が得られる紙コップ蓋体構造装置を提供する。
【課題を解決するための手段】
【０００５】
本考案は、以上の目的を達成できる紙コップ蓋体構造装置であり、紙材からなり、コップ体と、上記コップ体の上端に形成されたコップ口と、上記コップ体の底端に形成される杯底とがあり、上記コップ口の外側縁に、リング状に、扁平面を有する扁平状コップ縁が形成され、上記コップ縁に、更に、外側端縁から下へ伸びるリング状の延伸部があるコップ本体と、
上記コップ本体に覆われ、上記コップ縁の内壁面において、リング状に、ねじ山型係止槽が形成され、上記ねじ山型係止槽の下に、更に、抵当部が伸び、上記コップ縁と上記ねじ山型係止槽とが、回転することによって結合されるコップ蓋と、が含有される。
【０００６】
本考案の上記実施例によれば、上記コップ縁及其延伸部係由一成型於上記コップ口周縁のビード押し合わせ後整形而成。
【０００７】
本考案の上記実施例によれば、上記コップ縁とその延伸部は、上記コップ口の周縁に成型されたビードを押し合わせて整形することによってからなる。
【０００８】
本考案の上記実施例によれば、上記抵当部は、やや外へ拡大するような拡大傾斜状になる。
【０００９】
本考案の上記実施例によれば、上記抵当部は、内側に、リング状に、上記コップ縁の下方端縁に抵当するリブが設けられる。
【００１０】
本考案の上記実施例によれば、上記抵当部は、内側に、リング状に、隔離的に、上記コップ縁の下方端縁に抵当する複数のリブが配列される。
【００１１】
以下、図面を参照しながら、本考案の特徴や技術内容について、詳しく説明するが、それらの図面等は、参考や説明のためであり、本考案は、それによって制限されることが無い。
【図面の簡単な説明】
【００１２】
【図１】本考案の第一実施例の分解概念図である。
【図２】本考案の第一実施例の使用状態概念図である。
【図３】本考案の第二実施例の分解概念図である。
【図４】本考案の第二実施例の使用状態概念図である。
【図５】本考案の第三実施例の分解概念図である。
【図６】本考案の第三実施例の使用状態概念図である。
【図７】従来の紙コップの断面状態概念図である。
【考案を実施するための形態】
【００１３】
図１と図２は、それぞれ、本考案の第一実施例の分解概念図と本考案の第一実施例の使用状態概念図である。図のように、本考案は、紙コップ蓋体構造装置で、少なくとも、コップ本体１とコップ蓋２とからなる。
【００１４】
上記コップ本体１は、紙材からなり、コップ体１１と、上記コップ体１１の上端に形成されたコップ口１２と、上記コップ体１１の底端に形成された杯底１３とがあり、上記コップ口１２の外側縁に、リング状に、射出成型やプレス成型によって、扁平状コップ縁１４が形成される。上記コップ縁１４は、生物分解可能のプラスチックや紙材からなり、扁平面１４１を有し、外側端縁に、リング状に、下へ向かう延伸部１４２が形成され、それは、作製する時、上記コップ口１２の周縁に成型されたビード（図に未表示）を押し合わせて整形することによって、上記コップ縁１４とその延伸部１４２が形成される双層構造になる。
【００１５】
上記コップ蓋２は、上記コップ縁１４に対応した内壁面２１に、リング状に、ねじ山型係止槽２２が形成され、上記ねじ山型係止槽２２の下に、抵当部２３が伸び、上記抵当部２３は、アンダーカット状に、やや外へ拡張し、また、その内側に、リング状に、リブ２３１が形成され、上記コップ蓋２は、上記ねじ山型係止槽２２と上記コップ縁１４を利用して、回転して係合され、そして、上記リブ２３１が、上記コップ縁１４の下方端縁に抵当し、これにより、上記コップ蓋２が、上記コップ本体１に結合される。上記の装置構成により、新規の紙コップ蓋体構造装置が形成される。
【００１６】
本考案を作製する時、上記コップ縁１４は、プラスチックや紙材で、射出成型やプレス成型によって形成され、本考案によれば、上記コップ蓋２が、封止するように、上記コップ本体１に結合され、扁平状構造であるコップ縁１４により、上記コップ本体１の強度が向上されるだけでなく、上記コップ本体１と上記コップ蓋２とが結合される時、上記コップ蓋２のねじ山型係止槽２２が上記コップ本体１の扁平状コップ縁１４の延伸部１４２に抵当するため、上記ねじ山型係止槽２２が、回転や係合することにより、上記扁平状コップ縁１４やその延伸部１４２に係合されて固定され、そのため、上記コップ蓋２と上記扁平状コップ縁１４は、安定的に係合され、上記コップ蓋２と上記コップ本体１とが、容易に脱落することなく、一体的に固定され、紙コップ全体の構造強度が向上され、より安全的に且つ耐用的になり、漏れなく、コップ本体１に、安定的に係合できる効果が得られる。
【００１７】
図３と図４、図５及び図６は、それぞれ、本考案の第二実施例の分解概念図と本考案の第二実施例の使用状態概念図、本考案の第三実施例の分解概念図及び本考案の第三実施例の使用状態概念図である。図のように、本考案によれば、上記第一実施例に掲示された構造形態の外に、第二や第三実施例の構造形態であってもよく、異なる箇所は、上記抵当部２３ａが、外へ拡大するような拡大傾斜状になる構造であり、その内側にも、リング状に、リブ２３１ａ（図３と図４のように）が形成され、或いは、上記抵当部２３ｂの内側にも、リング状に、隔離的に、上記コップ縁１４の下方端縁に抵当する複数のリブ２３１ｂが配列される構造であり（図５と図６のように）、そのため、紙コップが、第一実施例の効果を実現できるだけでなく、本考案に係るコップ本体１とコップ蓋２が、異なる用途に適用できる。
【００１８】
以上のように、本考案に係る紙コップ蓋体構造装置は、有効的に、従来の諸欠点を解消でき、コップ本体について、扁平状構造であるコップ縁を利用して、コップ本体の強度が向上され、また、コップ本体とコップ蓋とが結合される時、コップ蓋のねじ山型係止槽が、コップ本体の扁平状コップ縁の延伸部に抵当することにより、回転や嵌合することにより、ねじ山型係止槽が、扁平状コップ縁とその延伸部に係合されて固定され、コップ蓋と扁平状コップ縁とが、安定的に係合され、コップ蓋が、脱落することなく、一体的にコップ本体に固定され、紙コップ全体の構造強度が向上され、より安全的に且つ耐用的になり、漏れなく、コップ本体に、安定的に係合できる効果が得られ、そのため、本考案は、より進歩的かつより実用的で、法に従って実用新案登録請求を出願する。
【００１９】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００２０】
１      コップ本体
１１    コップ体
１２    コップ口
１３    杯底
１４    コップ縁
１４１  扁平面
１４２  延伸部
２      コップ蓋
２１    内壁面
２２    ねじ山型係止槽
２３    抵当部
２３１  リブ
【図１】
0003198245.tif 000003
【図２】
0003198245.tif 000004
【図３】
0003198245.tif 000005
【図４】
0003198245.tif 000006
【図５】
0003198245.tif 000007
【図６】
0003198245.tif 000008
【図７】
0003198245.tif 000009